(57)【要約】【課題】  ゴミ袋内の空気を排気してゴミを圧縮した後にゴミ袋を縛る際にゴミ袋が再度膨らむ問題を解消する製造の容易なゴミ袋排気治具を得る。【解決手段】  筒状本体部と、この一端側に形成された排気口と、筒状本体部の他端側に形成されたゴミ袋内の空気を吸引する吸気口と、筒状本体部内で排気口と吸気口とを連通する連通路と、連通路内に配された排気口から吸気口への空気の流通を阻害する逆止弁とを備えたゴミ減容化治具であって、逆止弁が排気口を外方から覆うように配され、これら排気口と逆止弁とを更に外方から覆うように配されるカバー部材を更に備えたもの。【選択図】      図１
2016086870.tif 000002
【特許請求の範囲】
【請求項１】
筒状本体部と、この一端側に形成された排気口と、筒状本体部の他端側に形成されたゴミ袋内の空気を吸引する吸気口と、前記筒状本体部内で排気口と吸気口とを連通する連通路と、前記連通路内に配された排気口から吸気口への空気の流通を阻害する逆止弁とを備えたゴミ減容化治具であって、
前記逆止弁が前記排気口を外方から覆うように配され、
これら排気口と逆止弁とを更に外方から覆うように配されるカバー部材を更に備えたことを特徴とするゴミ減容化治具。
【請求項２】
請求項１に記載されたゴミ減容化治具において、
前記ゴミ袋内のゴミによる前記吸気口の閉塞を防止する前記筒状本体部の吸気口先端部に形成された溝状及び／又は前記筒状本体部の吸気口先端側部に形成された孔状の補助吸気口とを更に備えたことを特徴とするゴミ減容化治具。
【請求項３】
請求項１又は２に記載されたゴミ減容化治具において、
前記ゴミ袋の絞り込んだ開口部内に前記吸気口を挿入した際に絞り込んだ開口部を筒状本体部の側壁部に固定するための固定手段とを更に備えたことを特徴とするゴミ減容化治具。
【請求項４】
前記固定手段として、一端を筒状本体部の排気口近傍に固定したゴム線材を備えたことを特徴とする請求項３に記載のゴミ減容化治具。
【発明の詳細な説明】
【技術分野】
【０００１】
本発明は、例えば、家庭用掃除機等の吸引装置でゴミ袋内の空気を脱気することにより、ゴミ袋内のゴミを圧縮することができるゴミ減容化システムを構成するゴミ減容化治具に関するものである。
【背景技術】
【０００２】
例えば、新規の内装施工又はリフォームの内装施工する際には、壁紙のスリッター裁断ミミ、ジョイント部の重ね切り残材、養生シート等々のゴミが廃棄される。これら施工の際に廃棄されたゴミは施工業者が取り纏めた後、市販のゴミ袋等に入れて持ち帰り、事業系ゴミ等として処分されている。
【０００３】
これら施工の際に廃棄されたゴミについて、事業所へ持ち帰る際には作業員、作業道具、作業工具、材料等の運搬も行わなければならない状況が想定されるため、容積をなるべく小さくする必要があった。
【０００４】
また、一般ゴミにおいても、容積をなるべく小さくして廃棄することは搬送車両の台数が少なくなるため等の点でエコロジーであるだけでなく、指定のゴミ袋を購入する自治体やゴミの容積に応じて回収料金等が定まっている自治体もあり、更には、コンテナでゴミの回収を行っている地域もあり、ゴミの容積を小さくしてより多くコンテナに詰め込むことを行う要望もある。このように、ゴミの廃棄時にゴミの嵩を減らすことは小さなゴミ袋を購入することやコンテナによるゴミの回収料金を低減することになり経済的でもある。
【０００５】
そこで、家庭や事業所及びオフィス等で廃棄する廃プラゴミや紙屑・シュレッダーゴミ等の嵩張りの大きいゴミを収納したゴミ袋について、電気掃除機の吸引力を利用して、簡単な構成、簡単な操作で圧縮し減容化を図る吸引圧縮減容装置が既に提案されている（例えば、特許文献１参照）。
【先行技術文献】
【特許文献】
【０００６】
【特許文献１】特開２００７−１３６１４４
【発明の概要】
【発明が解決しようとする課題】
【０００７】
しかしながら、電気掃除機の吸引を停止した後にゴミ袋の口を縛る際に再度ゴミ袋が膨らんでしまう問題があった。尚、再度ゴミ袋が膨らまないように電気掃除機の吸引による脱気を行いながらゴミ袋の口を縛る作業を行う場合には、電気掃除機を常時作動せねばならず、モータ・吸引ホース等に多大な負担を掛けてしまう問題が発生する。
【０００８】
本発明は、ゴミ袋内の空気を排気してゴミを圧縮した後にゴミ袋を縛る際にゴミ袋が再度膨らむ問題を解消するゴミ減容化システムを構成する治具を得ることを目的とする。より具体的には、ゴミ減容化システムとして、ゴミを内部に収容した市販のゴミ袋を減容化した後にゴミ袋が再度膨らむことを防止する治具及び装置や、減容化したゴミ袋を再度膨らまずに維持させるゴミ減容化治具を得ることを目的とし、更に、本発明は、製造の容易なゴミ減容化治具を得ることを目的とする。
【課題を解決するための手段】
【０００９】
請求項１に記載された発明に係るゴミ減容化治具は、筒状本体部と、この一端側に形成された排気口と、筒状本体部の他端側に形成されたゴミ袋内の空気を吸引する吸気口と、前記筒状本体部内で排気口と吸気口とを連通する連通路と、前記連通路内に配された排気口から吸気口への空気の流通を阻害する逆止弁とを備えたゴミ減容化治具であって、
前記逆止弁が前記排気口を外方から覆うように配され、
これら排気口と逆止弁とを更に外方から覆うように配されるカバー部材を更に備えたことを特徴とするものである。
【００１０】
請求項２に記載された発明に係るゴミ減容化治具は、請求項１に記載されたゴミ減容化治具において、
前記ゴミ袋内のゴミによる前記吸気口の閉塞を防止する前記筒状本体部の吸気口先端部に形成された溝状及び／又は前記筒状本体部の吸気口先端側部に形成された孔状の予備吸気口とを更に備えたことを特徴とするものである。
【００１１】
請求項３に記載された発明に係るゴミ減容化治具は、請求項１又は２に記載されたゴミ減容化治具において、
前記ゴミ袋の絞り込んだ開口部内に前記吸気口を挿入した際に絞り込んだ開口部を筒状本体部の側壁部に固定するための固定手段とを更に備えたことを特徴とするものである。
【００１２】
請求項４に記載された発明に係るゴミ減容化治具は、請求項３に記載の固定手段として、一端を筒状本体部の排気口近傍に固定したゴム線材を備えたことを特徴とするものである。
【発明の効果】
【００１３】
本発明は、ゴミ袋内の空気を排気してゴミを圧縮した後にゴミ袋を縛る際にゴミ袋が再度膨らむ問題を解消することができるゴミ減容化治具を容易に製造することができるという効果がある。
【図面の簡単な説明】
【００１４】
【図１】本発明のゴミ減容化治具の一実施例の構成を説明する説明図であり、ａ図は正面図、ｂ図は背面図、ｃ図は側面図、ｄ図はＡ−Ａ断面図である。
【図２】図１のゴミ減容化治具の筒状本体部の構成を説明する説明図であり、ａ図は正面図、ｂ図は背面図、ｃ図はＡ−Ａ断面図である。
【図３】図１のゴミ減容化治具のカバー部材の構成を説明する説明図であり、ａ図は正面図、ｂ図は側面図、ｃ図は背面図である。
【図４】図１のゴミ減容化治具の逆止弁の構成を説明する説明図であり、ａ図は正面図、ｂ図は側面図である。
【図５】図１のゴミ減容化治具で使用するゴムバンドの一端を結束する結束具を示す説明図であり、ａ図は正面図、ｂ図は左側面図、ｃ図は右側面図である。
【図６】図１のゴミ減容化治具の装着を示す説明図である。
【図７】図１のゴミ減容化治具の脱気後のバンド緊締状態を示す説明図である。
【発明を実施するための形態】
【００１５】
本発明においては、筒状本体部と、この一端側に形成された排気口と、筒状本体部の他端側に形成されたゴミ袋内の空気を吸引する吸気口と、前記筒状本体部内で排気口と吸気口とを連通する連通路と、前記連通路内に配された排気口から吸気口への空気の流通を阻害する逆止弁とを備えたゴミ減容化治具であって、前記逆止弁が前記排気口を外方から覆うように配され、これら排気口と逆止弁とを更に外方から覆うように配されるカバー部材を更に備える。これにより、ゴミ袋内の空気を排気してゴミを圧縮した後にゴミ袋を縛る際にゴミ袋が再度膨らむ問題を解消することができるゴミ減容化治具を容易に製造することができる。
【００１６】
即ち、本発明のゴミ減容化治具においては、筒状本体部と、この一端側に形成された排気口と、筒状本体部の他端側に形成されたゴミ袋内の空気を吸引する吸気口と、前記筒状本体部内で排気口と吸気口とを連通する連通路と、前記連通路内に配された排気口から吸気口への空気の流通を阻害する逆止弁とを備える。これにより、この治具を市販のゴミ袋の開口に取付け、ゴミ袋内の空気を排気することにより、ゴミ袋の容積を低減させることができ、排気後、治具が取付けられた開口の本体側をきつく縛った上で、治具を取外す。これにより、一つの治具を繰り返し利用することができ、経済的である。
【００１７】
この治具において、逆止弁が排気口を外方から覆うように配され、これら排気口と逆止弁とを更に外方から覆うように配されるカバー部材を更に備えることにより、カバー部材によって逆止弁が良好に保持されるため、このゴミ減容化治具の製造が容易となる利点を奏する。
【００１８】
即ち、筒状本体部と逆止弁とカバー部材とは個別に製造され、これらを組み立てて本発明のゴミ減容化治具が製造される。その際に、筒状本体部と逆止弁との接合を前記カバー部材で逆止弁を筒状本体部の排気口に締結するように逆止弁を押さえるように構成されることにより、カバー部材によって逆止弁が良好に保持されるため、このゴミ減容化治具の製造が容易となる利点を奏する。
【００１９】
本発明の逆止弁としては、好ましくは、ゴム等の弾性樹脂で構成される。例えば弾性樹脂としてはシリコン・エラストマー・クロロプレン等が選択される。この逆止弁については、弁部が排気口から外れないようにカバー部材で機械的に係止されるように配設されることにより、カバー部材によって逆止弁が良好に保持される。このため、カバー部材が筒状本体部に取付けられる際に、逆止弁を押圧するように逆止弁の厚みを厚くする等の構成とする。このため、カバー部材と筒状本体部とを係止した場合には、カバー部材で押圧される逆止弁の弾性樹脂によって係止が良好に維持する利点も奏する。
【００２０】
本発明の逆止弁は、排気口と吸気口とを連通する連通路内に少なくとも１つあればよい。２つ以上の逆止弁を備える場合には、筒状本体部の軸に対して対称に配される方が逆止弁が均一に開閉するように配することが誤動作の防止に繋がる。尚、逆止弁の作用によってゴミ袋が再度膨らむことを阻害するため、排気口に負圧吸引ホースに連結せずに、ゴミ袋を外方から手等で押圧して内部の空気を排気させて使用することも可能となる。この場合は弱い圧力でも逆止弁の開閉が行われるように、極端な経時劣化を起こさない程度に逆止弁を薄くして密着性と可動性とを高める工夫を行ってもよい。
【００２１】
本発明の好ましい態様としてのゴミ減容化治具では、電気掃除機等の負圧吸引ホース側コネクタに連結してゴミ袋内の空気を排気させる際に、ゴミ袋内のゴミによる吸気口の閉塞を防止する予備吸気口を更に備える。この予備吸気口としては、筒状本体部の吸気口先端部に形成された溝状予備吸気口や、筒状本体部の吸気口先端側部に形成された孔状予備吸気口がある。
【００２２】
特に、先端部に形成された溝状予備吸気口は、溝の長さが短いと先端部の吸気口が閉塞しやすくなるため、長くすると閉塞が少なくなるが先端部の強度が低下する。また、側部に形成される孔状予備吸気口については、側方からの閉塞を防止するために、孔状の予備吸気口の開口縁を側壁面と同じ高さとするのではなく、筒状本体部の吸気口の先端方向を低くするように傾ける等の工夫を行ってもよい。
【００２３】
一方、排気口についても、電気掃除機等の負圧吸引ホース側コネクタに連結されやすく、連結部分から空気が漏れ難くする工夫を行ってもよい。具体的には、負圧吸引ホース側を内設させて連結する場合には、吸引ホース側コネクタの外側壁を確実に接触するために排気口の内側に環状パッキンを備えたり、吸引ホース側コネクタの内側壁を確実に接触するために排気口の外側をテーパー状としたり、このテーパー状の外壁面にゴム層を形成する等の工夫を行ってもよい。
【００２４】
本発明の更に好ましい態様としてのゴミ減容化治具では、ゴミ袋内の空気を排気してゴミを圧縮する作業を容易とするために、ゴミ袋の絞り込んだ開口部内に吸気口を挿入した際に絞り込んだ開口部を筒状本体部の側壁部に固定するための固定手段を備える。
【００２５】
好ましい固定手段としては、一端を筒状本体部の排気口近傍に固定したゴム線材を備えるものであれば、構成も容易であり、安価に提供することができる。ゴム線材の固定は、ゴミ袋の開口部を絞った上からゴム線材で筒状本体部の側壁部に巻いて他端部を自身のゴム線材の下方に入れ込むように結んで固定する。尚、このゴム線材の他端部を固定する筒状本体部の側壁部に形成された溝部等を備えてもよい。尚、ゴム線材としては、中実、中空のゴム線材が使用可能である。また、ゴムの材質としてはシリコン・エラストマー・クロロプレン等が選択される。
【００２６】
固定手段による絞り込んだゴミ袋の開口部を筒状本体部の側壁部に有効に固定するために、筒状本体部の側壁部とゴミ袋の開口部との摩擦力を上げるために、側壁部の表層部にゴム層を形成する等の工夫を行ってもよい。
【００２７】
本発明のゴミ減容化治具は、内部にゴミを収容したゴミ袋の絞り込んだ開口部に逆止弁で排気口から吸気口への空気の流通を阻害するゴミ減容化治具の吸気口を挿入し、固定手段で絞り込んだ開口部を筒状本体部の側壁部に固定する取付けた後に、ゴミ袋内の空気を吸気口から排気口外へ脱気し、脱気されたゴミ袋の開口部下方の頸部を閉塞した後に、閉塞されたゴミ袋から前記治具を取外すことにより、容積を小さくしてゴミを廃棄することが可能となる。
【００２８】
更に、ゴミ袋内の空気が脱気されるため、ゴミ袋内の酸素量が低減されることになる。このため、ゴミ袋内に生ゴミが収納された場合には、脱気工程と閉塞工程とにより臭気の拡散が押さえられ、尚且つ、ゴミ袋内での生ゴミの腐敗が抑制されることにもなる。
【００２９】
脱気されたゴミ袋の開口部下方の頸部を閉塞する閉塞工程は、ゴミ袋の開口部を開口部を自身の頸部で結び目をつくって止め結びとしてもよく、ゴミ袋の開口部下方の頸部を紐状の部材、線状の弾性体等で結束してもよい。
【実施例】
【００３０】
図１は本発明のゴミ減容化治具の一実施例の構成を説明する説明図であり、ａ図は正面図、ｂ図は背面図、ｃ図は側面図、ｄ図はＡ−Ａ断面図である。図２は図１のゴミ減容化治具の筒状本体部の構成を説明する説明図であり、ａ図は正面図、ｂ図は背面図、ｃ図はＡ−Ａ断面図である。図３は図１のゴミ減容化治具のカバー部材の構成を説明する説明図であり、ａ図は正面図、ｂ図は側面図、ｃ図は背面図である。図４は図１のゴミ減容化治具の逆止弁の構成を説明する説明図であり、ａ図は正面図、ｂ図は側面図である。
【００３１】
図１に示す通り、本実施例のゴミ減容化治具１０は、筒状本体部１１と、この筒状本体部１１の一端側に形成された排気口１２と、筒状本体部１１の他端側に形成されたゴミ袋内の空気を吸引する吸気口１３と、筒状本体部１１内で排気口１２と吸気口１３とを連通する連通路１４と、この連通路１４内に配された排気口１２から吸気口１３への空気の流通を阻害する逆止弁２１とを備える。
【００３２】
図１及び図４に示す通り、逆止弁２１は平面形状が円形の弁体２２であり、下方側に円形に配された排気口１２の中心に形成された支持孔１５に挿入する挿入部２３が形成されている。材質はシリコンゴム製であるが、弾性を有する樹脂製であればよい。円形に配された排気口１２を覆う円形の弁体２２は、挿入部２３が支持孔１５に指示された状態で個々の排気口１２を閉塞し、排気口１２の内外で内側の気圧の方が高い場合に開放となるように構成される。
【００３３】
逆止弁２１は、排気口１２を外方から覆うように配され、これら排気口１２と逆止弁２１とを更に外方から覆うようにカバー部材３１が配されている。カバー部材３１の内側には、図示していないが、排気口１２が形成された筒状本体部１１の端部にネジ止め機構で係止されるようにねじ溝が形成され、筒状本体部１１の端部に形成されたねじ山と螺合して係止される。尚、カバー部材３１の中央から周縁にかけて３方向に連通孔３２が形成されており、排気口１２からの排気が外方に導かれる。
【００３４】
このカバー部材３１の内側高さは逆止弁２１の高さよりも若干低い部分を持ち、カバー部材３１を係止した場合に、逆止弁２１を押圧する箇所を形成している。これにより、カバー部材３１と筒状本体部１１とを係止した場合には、カバー部材３１で押圧されるため逆止弁２１が支持孔１５から外れることが無く、尚且つ、逆止弁２１の弾性樹脂による反発により係止を良好に維持することができる。
【００３５】
逆止弁２１及びカバー部材３１を係止した側のゴミ減容化治具１０の大きさは一般的な掃除機の吸引口に入る大きさとなっており、逆止弁２１及びカバー部材３１を係止した側を掃除機の吸引口に連結して吸引して使用することができる。その際に、掃除機の吸引口へのゴミ減容化治具１０の進入を阻止するためのストッパー部１６が筒状本体部１１の側部に両側方向に沿って突設されている。ストッパー部１６の一方には、固定手段としてのゴム線材の端部を固定する取付け孔１７が形成されている。
【００３６】
筒状本体部１１の吸気口１３側の側部には補助吸気口としての溝１８が４箇所に形成されている。この溝１８は、掃除機等の負圧吸引ホース側コネクタに連結してゴミ袋内の空気を排気させる際に、ゴミ袋やゴミ袋内のゴミによる吸気口の閉塞を防止する。尚、このような補助吸気口は、ゴミ袋やゴミ袋内のゴミによる吸気口の閉塞を防止するものであればよく、筒状本体部１１の側壁に連通させた多数の孔やでもよい。
【００３７】
図５は図１のゴミ減容化治具で使用するゴムバンドの一端を結束する結束具を示す説明図であり、ａ図は正面図、ｂ図は左側面図、ｃ図は右側面図である。図６は図１のゴミ減容化治具の装着を示す説明図である。図７は図１のゴミ減容化治具の脱気後のバンド緊締状態を示す説明図である。
【００３８】
図５に示す通り、ゴムバンド５０は脱気されたゴミ袋６０の頸部を縛って外気と遮断してゴミ袋が再度膨らむことを防ぐ。このゴムバンド５０は、掛止部５１と一点鎖線で示されたゴム管部５２とから構成される。掛止部５１は「く」字状に中央で折れた厚さ１ｍｍ程度の角丸四角形のプラスチック片に２つのＶ字状の切除部を入れたＹ字状のプラスチック片であり、大小２つの穴５３、５４と各々の穴に至る切れ込み溝５５、５６とが形成されている。小さい穴５３にはゴム管部５２の一端部が固定されていおり、大きい穴５４にはゴム管部５２の他端部が切れ込み溝５６に導かれて掛止される。
【００３９】
図６に示されている通り、ゴミ６１を収容したゴミ袋６０の開口部にゴミ減容化治具１０の吸気口１３を挿入した上で、ゴミ袋の開口部を絞り、ゴム線材４１で筒状本体部１１の側壁部に多重に巻いて他端部を自身のゴム線材４１の下方に入れ込むように結んで固定する。
【００４０】
図６に示す通り、ゴミ減容化治具１０の排気口１２からゴミ袋６０内の空気を抜き出してゴミ袋自体の容積を小さくする。この際の排気口１２からゴミ袋６０内の空気の抜き出は、電気掃除機等の負圧吸引ホースを用いてもよいし、ゴミ袋を外方から手等で押圧して内部の空気を排気させて使用してもよい。
【００４１】
排気口１２からゴミ袋６０内の空気を脱気した際に、電気掃除機等の駆動を止めて、脱気をストップさせたり、吸引ホースをゴミ減容化治具１０から抜いても、逆止弁２１によって、排気口１２から吸気口１３への空気の流通が阻害されるため、ゴミ袋６０が再度膨らむことがない。
【００４２】
このため、この段階で図５に示したゴムバンド５０によってゴミ減容化治具１０の下方のゴミ袋６０の頸部を縛って外気と遮断を行った上で、ゴミ減容化治具１０のゴム線材４１の掛止を解いてゴミ減容化治具１０をゴミ袋６０から取外す。これにより、一つの治具を繰り返し利用することができ、経済的である。
【産業上の利用可能性】
【００４３】
ゴミ袋内の空気を排気してゴミを圧縮した後にゴミ袋を縛る際にゴミ袋が再度膨らむ問題を解消することができるため、ゴミ袋の減容化を図ることできるため、エコロジーであるだけでなく経済的でもある。
【符号の説明】
【００４４】
１０…ゴミ減容化治具、
１１…筒状本体部、
１２…排気口、
１３…吸気口、
１４…連通路、
１５…支持孔、
１６…ストッパー部、
１７…取付け孔、
１８…溝（補助吸気口）、
２１…逆止弁、
２２…弁体、
２３…挿入部、
３１…カバー部材、
３２…連通孔、
４１…ゴム線材、
５０…ゴムバンド、
５１…掛止部、
５２…ゴム管部、
５３…小さい穴、
５４…大きい穴、
５５…切れ込み溝、
５６…切れ込み溝、
【図１】
2016086870.tif 000003
【図２】
2016086870.tif 000004
【図３】
2016086870.tif 000005
【図４】
2016086870.tif 000006
【図５】
2016086870.tif 000007
【図６】
2016086870.tif 000008
【図７】
2016086870.tif 000009